(57)【特許請求の範囲】
【請求項１】
円筒状のドラムを回転自在に傾斜支持し、ドラム内にバーナからの熱風と共にアスファルト舗装廃材を供給し、該廃材を加熱再生するアスファルト舗装廃材再生用ドライヤにおいて、前記ドラムの外周壁に円周方向に沿ってドラム壁を加熱昇温することでドラム内壁への廃材の付着堆積を防止するドラム壁加熱用ヒータを周設すると共に、該ドラム壁加熱用ヒータを取り巻くように電力供給用の給電路を周設してドラムに固定し、前記ドラム壁加熱用ヒータと給電路とを電導体により接続し、前記給電路の近傍に給電路に当接して摺動しながら電力を供給する給電体を配設する一方、前記ドラム壁加熱用ヒータの周設部の表面温度やドラム内の温度に基づいてドラム壁加熱用ヒータへの電力の断続や温度制御を行う電力制御器を備えたことを特徴とするアスファルト舗装廃材再生用ドライヤ。
【請求項２】
円筒状のドラムを回転自在に傾斜支持し、ドラム内にバーナからの熱風と共にアスファルト舗装廃材を供給し、該廃材を加熱再生するアスファルト舗装廃材再生用ドライヤにおいて、前記ドラムの外周壁に円周方向に沿ってドラム壁を加熱昇温することでドラム内壁への廃材の付着堆積を防止するドラム壁加熱用ヒータを周設すると共に、該ドラム壁加熱用ヒータを取り巻くように電力供給用の給電路を周設し、前記ドラム壁加熱用ヒータには給電路に当接して摺動しながら電力を集電する集電体を配設する一方、前記ドラム壁加熱用ヒータの周設部の表面温度やドラム内の温度に基づいてドラム壁加熱用ヒータへの電力の断続や温度制御を行う電力制御器を備えたことを特徴とするアスファルト舗装廃材再生用ドライヤ。
【発明の詳細な説明】
【０００１】
【産業上の利用分野】
本発明は道路舗装廃材を加熱再生するアスファルト舗装廃材再生用ドライヤに関する。
【０００２】
【従来の技術】
道路工事等によって掘り起こされたアスファルト舗装廃材（以下「廃材」という）の再生にはアスファルトプラントの新規骨材加熱用ドライヤとほぼ同構造のドライヤが採用されている。この再生用ドライヤは円筒状ドラムを回転自在に傾斜支持し、ドラムの内周部に周設した多数の掻き上げ羽根によって廃材を掻き上げながらドラム内を転動流下させる間にバーナから送り込まれる熱風と接触させ、所望の温度まで加熱昇温して廃材の再生を行っている。
【０００３】
このドライヤによる廃材の加熱再生においては、廃材が加熱されながらドラム内を転動流下する間に廃材表面に付着しているアスファルト分が溶融して廃材が粘着力を有するようになり、この粘着性廃材が掻き上げ羽根やドラム内周部に徐々に付着成長し、ついには掻き上げ羽根の機能をも損なわせることもあり、その防止策として、例えば、掻き上げ羽根に弛ませたチェーンを取り付けてみたり、可動式の掻き上げ羽根にしてドラムの回転時に掻き上げ羽根やドラム内周壁に衝撃を与えて付着を防止するようにしたものも見受けられる。
【０００４】
【発明が解決しようとする課題】
しかしながら、アスファルト分が溶融して付着しようとする時の廃材の粘着力はかなり強いうえ、チェーン等による衝撃は特定の箇所に加えられことが多く、直接投打されない箇所では付着堆積が生ずることがある。そして一旦付着堆積するとチェーン等の衝撃力だけで剥離させることは難しくなってくる。
【０００５】
そこで、この付着堆積した廃材を除去するには作業員が狭いドラム内に入って削り作業を行うこととなり、維持管理面において問題を有していた。
【０００６】
本発明は上記の点に鑑み、廃材がドラム内に付着堆積するのを極力防止すると共に、付着堆積が生じてもドラム外から廃材の除去を容易に行えるようにしたアスファルト舗装廃材再生用ドライヤを提供することを目的とする。
【０００７】
【課題を解決するための手段】
本発明は上記の目的を達成するために、請求項１記載のアスファルト舗装廃材再生用ドライヤは、円筒状のドラムを回転自在に傾斜支持し、ドラム内にバーナからの熱風と共にアスファルト舗装廃材を供給し、該廃材を加熱再生するアスファルト舗装廃材再生用ドライヤにおいて、前記ドラムの外周壁に円周方向に沿ってドラム壁を加熱昇温することでドラム内壁への廃材の付着堆積を防止するドラム壁加熱用ヒータを周設すると共に、該ドラム壁加熱用ヒータを取り巻くように電力供給用の給電路を周設してドラムに固定し、前記ドラム壁加熱用ヒータと給電路とを電導体により接続し、前記給電路の近傍に給電路に当接して摺動しながら電力を供給する給電体を配設する一方、前記ドラム壁加熱用ヒータの周設部の表面温度やドラム内の温度に基づいてドラム壁加熱用ヒータへの電力の断続や温度制御を行う電力制御器を備えたことを特徴としている。
【０００８】
また請求項２記載のアスファルト舗装廃材再生用ドライヤは、円筒状のドラムを回転自在に傾斜支持し、ドラム内にバーナからの熱風と共にアスファルト舗装廃材を供給し、該廃材を加熱再生するアスファルト舗装廃材再生用ドライヤにおいて、前記ドラムの外周壁に円周方向に沿ってドラム壁を加熱昇温することでドラム内壁への廃材の付着堆積を防止するドラム壁加熱用ヒータを周設すると共に、該ドラム壁加熱用ヒータを取り巻くように電力供給用の給電路を周設し、前記ドラム壁加熱用ヒータには給電路に当接して摺動しながら電力を集電する集電体を配設する一方、前記ドラム壁加熱用ヒータの周設部の表面温度やドラム内の温度に基づいてドラム壁加熱用ヒータへの電力の断続や温度制御を行う電力制御器を備えたことを特徴としている。
【０００９】
【作用】
本発明の請求項１記載のアスファルト舗装廃材再生用ドライヤによれば、ドラムの外周壁に沿って周設した給電路に給電体を通して電力を供給することによりドラム２を回転させながらドラム２の外周壁に沿って周設した電熱ヒータによりドラム２を加熱することができ、これによって付着堆積しようとする廃材を加熱してアスファルト分を更に溶融させてその粘性を低下させ、廃材の粘着力を弱めて付着堆積を防止したり、またドラム壁温度を昇温しておくことによってアスファルト分がドラムに付着しにくいようにしている。
【００１０】
また、本発明の請求項２記載のアスファルト舗装廃材再生用ドライヤによれば、ドラムの外周壁に周設した給電路に電力を供給することにより、加熱用ヒータに配設した集電体を通して電熱ヒータに電力の供給を受けることができ、ドラムを回転させながらドラムの周壁を加熱することができ、前記と同様に付着堆積しようとする廃材を加熱してアスファルト分を更に溶融させてその粘性を低下させ、廃材の粘着力を弱めて付着堆積を防止している。
【００１１】
【実施例】
以下、本発明の実施例を図面に基づいて説明する。
【００１２】
１は廃材を加熱再生する廃材再生用ドライヤであって、円筒状のドラム２を機台３上の支持ローラ４によって回転自在に傾斜支持し、駆動装置（図示せず）により所定の速度で回転させている。
【００１３】
５はドラム２の下位に配設した熱風発生用のバーナであって、該バーナ５の前方には火炎を形成する燃焼室６を配設している。燃焼室６には熱風用通路７を接続し、該熱風用通路７は上方に立ち上げると共に、ドラム２の一端部に配設したホットホッパ８にその先端部を開口させ、バーナ５により発生させた熱風をドラム２内に送り込むようにしている。
【００１４】
ドラム２内を通過した熱風はドラム２の他端部に配設したコールドホッパ９に連結した排気煙道１０より導出させ、該排気煙道１０の末端に配設した排風機（図示せず）により排ガスを吸引してドラム２内を通過するガス流を維持すると共に、ドラム２より導出する排ガスはドラム２の下流に配設した図示しない集塵機を通過して大気に放出される。
【００１５】
１１はドラム２内に廃材を投入するための廃材投入シュートであって、該廃材投入シュート１１からドラム２に投入された廃材はドラム２内を転動流下する間にドラム２を通過する熱風と接触し、所望の温度にまで加熱昇温されてコールドホッパ９下部の廃材排出口１２から排出される。
【００１６】
１３は加熱用の電熱ヒータであって、ドラム２の材料投入側の逆止羽根付近のドラム外周壁に円周方向に巻き付けたものであり、加熱時にドラム２の外側に熱が放散するのを防ぐために断熱材１４により被覆している。
【００１７】
なお、このドラム２の材料投入側は廃材の付着堆積が生じると材料の供給に支障を来すために本実施例ではこの領域に電熱ヒータを取り付けた例を示したものであり、電熱ヒータ１３の取り付け位置はこの領域の他、廃材の付着し易い位置に適宜取り付けるようにすれば良い。
【００１８】
電熱ヒータ１３の周囲には電熱ヒータ１３を取り巻くように給電路であるトロリーワイヤ１５を周設しており、該トロリーワイヤ１５は電導体である銅棒等を環状に成形してドラム２に耐熱性の絶縁体１６により取り付けている。そして前記電熱ヒータ１３と、トロリーワイヤ１５とは電導体である電線により接続されている。
【００１９】
また、トロリーワイヤ１５には、給電体である給電トロリー１７を配設しており、該給電トロリー１７はトロリーワイヤ１５に当接して摺動しながら電力を送り込む摺動部１８と、摺動部１８をトロリーワイヤ１５に適当な力で当接させるべく揺動自在とした給電アーム１９とよりなり、摺動部１８には電源に接続した給電線２０が接続されている。そして摺動部１８より送り込まれた電力はトロリーワイヤ１５を介して電熱ヒータ１３に送り込まれる。
【００２０】
２１は給電線２０に介装した電力を断続する電力制御器であって、例えば、電熱ヒータ１３の周設部の表面温度やドラム内の温度等に基づいて電気ヒータ１３へ供給する電力の断続や温度制御を行うものである。
【００２１】
また、図３は本発明の別の実施例を示すもので、電熱ヒータ１３´の周囲には電熱ヒータ１３´を取り巻くように給電路であるトロリーワイヤ１５´を周設しており、該トロリーワイヤ１５´は電導体である銅棒等を環状に成形し、適宜位置に電源に接続した電力線の端部を接続する電力線接続用端子を設けたものである。
【００２２】
更に、電熱ヒータ１３´には電熱ヒータ１３´に電力を取り込む集電体である集電トロリー２２を配設してあり、該集電トロリー２２は一端部に前記トロリーワイヤ１５´に当接して摺動しながら電力を取り込む摺動部２３と、摺動部２３をトロリーワイヤ１５´に適当な力で当接させるべく揺動自在とした集電アーム２４とよりなり、摺動部２３より取り込んだ電力は摺動部２３と電熱ヒータ１３´との間に取り付けた電導体である電線により接続されている。そして、トロリーワイヤ１５´には電源に接続した給電線２０´を接続している。また給電線２０´には電力の断続や温度制御を行う電力制御器２１´を介装している。
【００２３】
しかして、廃材再生用ドライヤ１により廃材を加熱再生する場合、ドラム２を回転させてバーナ５によりドラム２内に熱風を送り込むと共に、前記電力制御器２１を作動させて給電トロリー１７に通電する。給電トロリー１７にはドラム２の外周部に配設したトロリーワイヤ１５が当接して回転しており、給電トロリー１７を通してトロリーワイヤ１５に電力を供給する。トロリーワイヤ１５に給電するとそれに接続されている電熱ヒータ１３に給電されてドラム２が外周壁より加熱される。
【００２４】
次いで、ドラム２内に廃材の供給を開始すると、廃材はドラム２内の掻き上げ羽根によって掻き上げられながらドラム２内を転動流下する間にドラム２内を通過する熱風と接触して所望の温度にまで加熱昇温される。
【００２５】
そしてドラム２内への廃材の供給により材料投入部付近では、廃材中のアスファルト分の溶融が始まり、アスファルト分の粘着力はかなり強くなる。そして逆止羽根の部分にて付着堆積しようとするが、このような領域を予め電熱ヒータ１３により加熱しておくことにより廃材の付着を極力防止できる。
【００２６】
また、通常は電熱ヒータ１３に通電せずに運転し、廃材が掻き上げ羽根等に付着するようになると電熱ヒータ１３に通電して付着部分を加熱することにより付着した廃材のアスファルト分を溶融させて掻き上げ羽根等から剥離させるようにしても良い。
【００２７】
また、図３に示す本発明の他の実施例においては、電力制御器２１´を作動させて先ずトロリーワイヤ１５´に通電する。トロリーワイヤ１５´には集電トロリー２２が当接して回転しており、集電トロリー２２によりトロリーワイヤ１５´より電力を集電する。そして集電トロリー２２により集電した電力を電熱ヒータ１３´に供給してドラム２の外周壁側よりドラム２を加熱し、これによって前記と同様に廃材の付着を極力防止するのである。
【００２８】
【発明の効果】
以上のように本発明に係る請求項１記載のアスファルト舗装廃材再生用ドライヤにあっては、ドラム２の外周壁にドラム壁加熱用の電熱ヒータ１３を周設し、該電熱ヒータ１３の周囲に給電路であるトロリーワイヤ１５を周設してドラムに固定し、電熱ヒータ１３とトロリーワイヤ１５とを電導体により接続し、トロリーワイヤ１５に電力を供給する給電体である給電トロリー１７を摺動自在に配設する一方、電熱ヒータ１３の周設部の表面温度やドラム２内の温度に基づいて電熱ヒータ１３への電力の断続や温度制御を行う電力制御器２１を備えたので、ドラム壁を適宜加熱して昇温でき、ドラム内周面への廃材の付着を極力防止できる。
【００２９】
また、本発明に係る請求項２記載のアスファルト舗装廃材再生用ドライヤにあっては、ドラム２の外周壁に円周方向に沿ってドラム壁加熱用の電熱ヒータ１３´を周設し、電熱ヒータ１３´の周囲には給電路であるトロリーワイヤ１５´を周設し、電熱ヒータ１３´には集電体である集電トロリー２２を配設する一方、電熱ヒータ１３´の周設部の表面温度やドラム２内の温度に基づいて電熱ヒータ１３´への電力の断続や温度制御を行う電力制御器２１´を備えたので、ドラム壁を適宜加熱して昇温でき、ドラム内周面への廃材の付着を極力防止できる。
【図面の簡単な説明】
【図１】本発明のドライヤの一実施例を示す概略図である。
【図２】図１のＡ−Ａ矢視図である。
【図３】他の実施例を示す図２に相当する図である。
【符号の説明】
１…廃材再生用ドライヤ
２…ドラム
１３、１３´…（加熱用）電熱ヒータ
１５、１５´…トロリーワイヤ（給電路）
１７…給電トロリー（給電体）
２２…集電トロリー（集電体）
【図１】
0003663226.tif 000002
【図２】
0003663226.tif 000003
【図３】
0003663226.tif 000004